(57)【特許請求の範囲】
【請求項１】
造営材の表面に取り付けられる器具本体と、
前記器具本体に取り付けられ、外部電源が正常に供給されている状態において点灯可能な第１光源ユニットと、
前記器具本体に取り付けられ、前記外部電源の停電時に点灯する第２光源ユニットとを備え、
前記第２光源ユニットは、光源部と、前記光源部が取り付けられるベースと、開口部を有し前記開口部から前記光源部の一部を露出させた状態で前記ベースに取り付けられるカバーとを具備し、
前記カバーは、前記ベース側に突出する一対の突壁部を有し、
前記ベースは、前記光源部が載せられる平板状の平板部と、前記カバーを前記ベースに取り付ける際に前記一対の突壁部をそれぞれガイドする一対の立壁部とを有し、
前記一対の立壁部は、前記平板部の幅方向における両端から前記平板部と交差する方向である交差方向に突出し、前記交差方向における前記平板部側の端部が前記平板部側に曲げ起こされ、当該曲げ起こし部位で前記平板部に連結されていることを特徴とする照明器具。
【請求項２】
前記一対の突壁部の各々は、前記カバーを前記ベースに保持させる保持構造を有していることを特徴とする請求項１記載の照明器具。
【請求項３】
前記器具本体は、前記第１光源ユニット及び前記第２光源ユニットの少なくとも一部が収容される収容凹部を前記造営材と反対側に有し、
前記カバーは、前記開口部が設けられ前記光源部を覆うように配置される曲面部と、前記曲面部の両端から互いに近づく向きに延出する一対の水平部とをさらに有し、
前記一対の突壁部の各々は、前記一対の水平部の各々の先端から前記一対の水平部と交差する方向で且つ前記ベース側に突出し、
前記第２光源ユニットを前記器具本体に取り付けた状態では、前記造営材の前記表面の法線方向から見て前記収容凹部の開口端縁と前記一対の水平部の各々とが重なるように構成されていることを特徴とする請求項１又は２記載の照明器具。
【発明の詳細な説明】
【技術分野】
【０００１】
本発明は、照明器具に関し、より詳細には、外部電源の停電時に点灯する非常用光源を備えた照明器具に関する。
【背景技術】
【０００２】
従来、ＬＥＤなどの発光素子を光源とする非常用照明器具が提供されている（例えば特許文献１参照）。特許文献１に記載された非常用照明器具は、光源と、光源基板と、充電回路基板と、点灯回路基板と、蓄電池と、器具本体と、カバーとを備える。
【０００３】
器具本体は、下面が開口する筒状に形成され、透光性を有する材料からなるカバーにより下面開口が塞がれる。また、器具本体は、隔壁によって内部空間が上下方向に分離しており、光源、光源基板及び充電回路基板が下側の空間に収納され、点灯回路基板及び蓄電池が上側の空間に収納される。
【０００４】
光源は、例えば複数個のＬＥＤからなり、光源基板の表面に実装される。光源基板は、アルミニウムや銅などで形成された金属基板であって、電線を介して充電回路基板に電気的に接続される。また、充電回路基板は、電線を介して点灯回路基板に電気的に接続される。つまり、充電回路基板を介して光源基板と点灯回路基板とが電気的に接続される。
【０００５】
ここで、点灯回路基板は、商用電源の停電時において蓄電池を電源とし、光源を点灯させるための点灯電力を生成する。そして、点灯回路基板で生成された点灯電力は、電線及び充電回路基板を介して光源基板へ出力され、光源基板に実装された複数個のＬＥＤを点灯させる。
【先行技術文献】
【特許文献】
【０００６】
【特許文献１】特開２０１２−１８５９３２号公報
【発明の概要】
【発明が解決しようとする課題】
【０００７】
上述の特許文献１に記載された非常用照明器具では、器具本体に対してカバーの向きを合わせながら組み付ける構造であるため、設置場所によっては組付作業に時間を要する場合があった。
【０００８】
本発明は上記問題点に鑑みてなされており、作業性を向上させた照明器具を提供することを目的とする。
【課題を解決するための手段】
【０００９】
本発明の照明器具は、造営材の表面に取り付けられる器具本体と、前記器具本体に取り付けられ、外部電源が正常に供給されている状態において点灯可能な第１光源ユニットと、前記器具本体に取り付けられ、前記外部電源の停電時に点灯する第２光源ユニットとを備え、前記第２光源ユニットは、光源部と、前記光源部が取り付けられるベースと、開口部を有し前記開口部から前記光源部の一部を露出させた状態で前記ベースに取り付けられるカバーとを具備し、前記カバーは、前記ベース側に突出する一対の突壁部を有し、前記ベースは、前記光源部が載せられる平板状の平板部と、前記カバーを前記ベースに取り付ける際に前記一対の突壁部をそれぞれガイドする一対の立壁部とを有し、前記一対の立壁部は、前記平板部の幅方向における両端から前記平板部と交差する方向である交差方向に突出し、前記交差方向における前記平板部側の端部が前記平板部側に曲げ起こされ、当該曲げ起こし部位で前記平板部に連結されていることを特徴とする。
【発明の効果】
【００１０】
本発明の構成によれば、作業性を向上させた照明器具を提供することができるという効果がある。
【図面の簡単な説明】
【００１１】
【図１】本発明の実施形態に係る照明器具の全体斜視図である。
【図２】図２Ａは本発明の実施形態に係る照明器具の正面図、図２Ｂは上面図、図２Ｃは左側面図である。
【図３】本発明の実施形態に係る照明器具の分解斜視図である。
【図４】本発明の実施形態に係る照明器具の断面図である。
【図５】本発明の実施形態に係る照明器具に用いられる非常用光源ユニットの分解斜視図である。
【図６】本発明の実施形態に係る照明器具に用いられる非常用光源ユニットの別の分解斜視図である。
【図７】本発明の実施形態に係る照明器具に用いられる非常用光源ユニットの全体斜視図である。
【図８】本発明の実施形態に係る照明器具に用いられる非常用光源ユニットの平面図である。
【図９】本発明の実施形態に係る照明器具に用いられる非常用光源ユニットの別の平面図である。
【図１０】本発明の実施形態に係る照明器具に用いられる非常用光源ユニットの側面図である。
【図１１】本発明の実施形態に係る照明器具に用いられる非常用光源ユニットの断面図である。
【図１２】本発明の実施形態に係る照明器具に用いられる非常用光源ユニットの別の断面図である。
【図１３】本発明の実施形態に係る照明器具に用いられる非常用光源ユニットの支持部材を含む平面図である。
【図１４】本発明の実施形態に係る照明器具に用いられる非常用光源ユニットの支持部材を含む斜視図である。
【図１５】本発明の実施形態に係る照明器具から常用光源ユニットを取り外した状態の一部省略した平面図である。
【図１６】本発明の実施形態に係る照明器具の別の断面図である。
【発明を実施するための形態】
【００１２】
本発明の実施形態に係る照明器具１０について、図１〜図１６を参照しながら具体的に説明する。ただし、以下に説明する構成は、本発明の一例に過ぎず、本発明は下記の実施形態に限定されない。したがって、この実施形態以外であっても、本発明に係る技術思想を逸脱しない範囲であれば、設計等に応じて種々の変更が可能である。
【００１３】
なお、以下の説明では特に断りがない限り、図４に示す向きにおいて上下左右の各方向を規定し、さらに図４中の紙面に垂直な方向を前後方向（手前側が前側）と規定する。したがって、器具本体１の長手方向が前後方向、器具本体１の幅方向が左右方向、器具本体１の高さ方向が上下方向となる。ただし、これらの方向は照明器具１０の取付方向を規定するものではない。
【００１４】
本実施形態の照明器具１０は、図１〜図４に示すように、器具本体１と、常用光源ユニット２（第１光源ユニット）と、非常用照明装置とを備える。器具本体１は、吊りボルト２００に固定され、天井材１００（造営材）の下面（表面）に直付けされる。常用光源ユニット２は、器具本体１に対して着脱可能に取り付けられる。非常用照明装置は、非常用光源ユニット３（第２光源ユニット）と、非常用電源５と、制御装置４とを備える。
【００１５】
器具本体１は、板金に曲げ加工することにより長尺且つ上面（天井材１００との対向面）が開口する扁平な箱形に形成される。また、器具本体１は、天井材１００と反対側（下側）に、常用光源ユニット２及び非常用光源ユニット３を収容するための矩形の収容凹部１１が長手方向（前後方向）の全長に亘って設けられている。また、器具本体１の左右方向（幅方向）における収容凹部１１の両側には、収容凹部１１の開口端縁から延出し且つ外側に向かって上方へ傾斜する傾斜部１２がそれぞれ設けられている（図４参照）。
【００１６】
また、収容凹部１１の底板１１１には、電線を通すための孔１１１Ａが前後方向（長手方向）における略中央に設けられている。さらに、この底板１１１には、吊りボルト２００を通すための孔１１１Ｂが前後方向における両端寄りの位置にそれぞれ設けられている（図３参照）。なお、底板１１１の下面には、天井裏に先行配線された電源線が接続される端子台が取り付けられるのが好ましい。
【００１７】
常用光源ユニット２は、図４に示すように、複数（例えば、２つ）のＬＥＤモジュール２２と、ＬＥＤモジュール２２が取り付けられる取付部材２１と、ＬＥＤモジュール２２を覆うようにして取付部材２１に取り付けられるカバー２３と、電源装置２４とを備える。
【００１８】
ＬＥＤモジュール２２は、前後方向に長い矩形板状に形成されたプリント配線板２２１を有する。プリント配線板２２１は、その下面に複数のＬＥＤ（発光ダイオード）２２２が前後方向（長手方向）に沿って実装されている。また、一方のＬＥＤモジュール２２の前端部には、電源装置２４との間を電気的に接続するためのコネクタが実装されている。このコネクタには電線が電気的に接続されており、この電線の端部を電源装置２４に電気的に接続することでＬＥＤモジュール２２と電源装置２４とが電気的に接続される。
【００１９】
また、各ＬＥＤモジュール２２において隣接するＬＥＤモジュール２２と対向する端部には、電源供給用のコネクタがそれぞれ実装されている。そして、両ＬＥＤモジュール２２のコネクタ同士を接続することで、一方のＬＥＤモジュール２２から他方のＬＥＤモジュール２２に点灯電力が中継される。
【００２０】
取付部材２１は、板金に曲げ加工することによりＵ字状に形成される。取付部材２１は、長尺且つ矩形板状に形成された底板２１１と、底板２１１の左右方向（幅方向）における両端から上下方向（底板２１１と直交する方向）に延出する一対の側板２１２とを有する。各側板２１２の先端（上端）には、図４に示すように、互いに離れる向き（外向き）に湾曲する引掛部２１２Ａがそれぞれ全長に亘って設けられる。
【００２１】
また、取付部材２１は、長手方向における両端寄りの位置において幅方向の一端側に延びる一対の引掛金具と、幅方向の他端側に配置される一対の引掛ばねとを有している。なお、上述したＬＥＤモジュール２２は、例えば、取付部材２１の底板２１１の一部を切り起こすことで形成された爪により、取付部材２１に固定される。
【００２２】
電源装置２４は、電源基板と、電源基板を収納する収納ケース２４２とを有する。電源基板は、前後方向に長い矩形板状に形成されたプリント配線板である。そして、このプリント配線板には、少なくともＬＥＤ２２２の点灯電力を生成するために必要な回路部品（例えばトランスやダイオード、コンデンサなど）２４１が実装されている。
【００２３】
収納ケース２４２は、一面（取付部材２１の底板２１１との対向面）が開口し且つ前後方向に長い矩形の箱形に形成されている。この収納ケース２４２は、開口側が取付部材２１の底板２１１と対向するようにして、例えば取付部材２１の側板２１２にねじ固定される。
【００２４】
カバー２３は、拡散性を有する材料（例えば乳白色のアクリル樹脂）により上面（取付部材２１側の面）が開口する長尺の箱形に形成されている。また、カバー２３は、左右方向（幅方向）において両端部から中央部に近づくほど下側への突出量が大きくなるような凸レンズ形状の曲面部２３１を有している（図４参照）。
【００２５】
カバー２３の左右方向における両端部には、図４に示すように、常用光源ユニット２を器具本体１に取り付けた状態で、上下方向において器具本体１の収容凹部１１の開口端縁と重なる延出部２３２がそれぞれ設けられている。
【００２６】
さらに、カバー２３の左右方向において各延出部２３２の内側には、上側（取付部材２１側）に突出する突壁部２３３がそれぞれ全長に亘って設けられており、各突壁部２３３の先端には内向きに突出する突起部２３３Ａがそれぞれ設けられている。また、各突壁部２３３の根元近くには、それぞれ内向きに突出する支持片２３３Ｂが設けられている。
【００２７】
非常用光源ユニット３は、図５〜図１２に示すように、ＬＥＤモジュール３０と、レンズ３１と、カバー３２と、支持部材３３と、ベース３６とを備える。さらに、非常用光源ユニット３は、スイッチブロック３４と、表示部３５と、ばね部材３７と、ケーブルホルダ３８とを備える。なお、以下の非常用光源ユニット３の説明においては、特に断りがない限り、図５において、上下、前後、左右の各方向を規定する。
【００２８】
ＬＥＤモジュール３０は、実装基板３００と、発光部３０１と、熱伝導シート３０２と、リード線３０３とを備える。実装基板３００は、幅細の矩形平板状に形成されたプリント配線板である。
【００２９】
発光部３０１は、実装基板３００の上面における中央部に実装される複数個のＬＥＤチップと、これら複数個のＬＥＤチップを封止する封止材とで構成される。なお、封止材は、透光性を有し且つ蛍光材料が混合された合成樹脂であるのが好ましい。
【００３０】
この場合、ＬＥＤチップから放射される光（例えば、青色光）の一部が蛍光材料で波長変換され、波長変換された光（例えば、黄色光）と波長変換されなかった光（青色光）が混ざることにより、発光部３０１から放射される光が全体として白色光となる。
【００３１】
熱伝導シート３０２は、電気絶縁性を有し且つ熱伝導度が相対的に高い材料で矩形平板状に形成され、片面（上面）に実装基板３００が貼り付けられる。
【００３２】
レンズ３１は、透光性を有し、且つガラス繊維が混入されることで耐熱性（難燃性）が向上された合成樹脂材料（例えば、ポリカーボネート樹脂など）により形成される。レンズ３１は、非球面形状の入射面３１０及び出射面３１１を有し（図１１参照）、いわゆるバットウイング状の配光特性を実現する広角配光レンズである。また、レンズ３１は、下側で且つ左右両側の周縁から外向きに突出する一対のフランジ３１２を有する。
【００３３】
非常用電源５は、例えば、乾電池型の複数の蓄電池５０と、これら複数の蓄電池５０を収納する合成樹脂材料製の電池ケース５１とで構成される（図１１及び図１２参照）。ただし、電池ケース５１として熱収縮チューブが用いられても構わない。なお、非常用電源５は、各蓄電池５０の正極及び負極に一端がそれぞれ電気的に接続され、他端がプラグコネクタと電気的に接続された接続線を有するのが好ましい。
【００３４】
カバー３２は、カバー体３２０と、第１カバーエンド３２１と、第２カバーエンド３２２とを有する。カバー体３２０は、難燃性の材料（例えば、亜鉛鋼板などの金属板）により、曲面部３２３、一対の水平部３２５及び一対の突壁部３２４が一体に構成される。
【００３５】
曲面部３２３は、常用光源ユニット２のカバー２３の曲面部２３１と略同一の曲面形状に形成され、レンズ３１が挿通される挿通孔３２３０（開口部）を有している。なお、挿通孔３２３０は、図８に示すように、上下方向から見て八角形状に形成されるのが好ましい。
【００３６】
さらに、曲面部３２３の表面（上面）における挿通孔３２３０の左右両側には、挿通孔３２３０に向かって下向きに傾斜する傾斜面３２３１が形成されている。なお、挿通孔３２３０は、曲面部３２３の左右方向における中心から左向き（常用光源ユニット２に近付く向き）にずらして設けられるのが好ましい。
【００３７】
一対の水平部３２５の各々は、図９に示すように、矩形の平板状であって、曲面部３２３の前後方向（幅方向）における両端から互いに近づく向き（内向き）に延出する。一対の突壁部３２４の各々は、矩形の平板状であって、一対の水平部３２５の各々の先端から下向きに突出する。また、各突壁部３２４における右寄りの位置には、矩形の貫通孔からなる取付孔３２４０が設けられている。
【００３８】
第１カバーエンド３２１及び第２カバーエンド３２２は、カバー体３２０と同一の材料により半円板状に形成される。また、第１カバーエンド３２１は左向きに突出する接合片３２１０（図１１参照）を有し、この接合片３２１０が曲面部３２３の下面に接合されることでカバー体３２０に接合される。また、第２カバーエンド３２２は右向きに突出する接合片３２２０（図１１参照）を有し、この接合片３２２０が曲面部３２３の下面に接合されることでカバー体３２０に接合される。
【００３９】
また、第２カバーエンド３２２の下端には、左方向に突出するＬ字形の突台部３２２１が設けられている（図６参照）。さらに、突台部３２２１の下端における前端寄りの位置には、矩形の突出部３２２２が一体に形成されている。この突出部３２２２は、上下方向から見て、突台部３２２１よりも外側（左側）に突出するように形成されており、突出部３２２２の前端には円形の挿通孔３２２３が設けられている。
【００４０】
また、突台部３２２１の下端における前後方向の中央の位置には、矩形板状であって、厚み方向（左右方向）に沿って撓み可能な押さえ片３２２４が一体に形成されている。
【００４１】
ベース３６は、アルミ板のような熱伝導率の高い金属製の板材により、平板部３６０と、一対の立壁部３６１，３６２とを有する角樋状に形成されている。平板部３６０は、概ね矩形の平板状に形成され、平板部３６０の左右方向における両端には、互いに大きさの異なる２つの切欠３６００，３６０１が形成されている（図５参照）。なお、左端の切欠３６００は寸法が小さく、右端の切欠３６０１は切欠３６００よりも寸法が大きいのが好ましい。
【００４２】
また、平板部３６０は、左前方及び右後方の角部分に、それぞれねじ孔３６０２が設けられている。さらに、平板部３６０には、図５及び図１１に示すように、複数（図示例では３つ）の突出部３６０３が設けられている。これらの突出部３６０３は、図１１に示すように、支持片３６０４と押さえ片３６０５とを有している。
【００４３】
支持片３６０４は、一端（左端）で平板部３６０と繋がり、左から右に向かって斜め下向きに突出するように形成されている。押さえ片３６０５は、支持片３６０４の先端（下端）から、平板部３６０と平行且つ右向きに突出するように形成されている。なお、押さえ片３６０５の先端（右端）は、上向きに曲げ起こされるのが好ましい。また、これらの突出部３６０３は、平板部３６０から切り起こして形成されるのが好ましい。
【００４４】
一対の立壁部３６１，３６２は、上端部分が僅かに曲げ起こされ、この上端部分（以下、ガイド部３６１０，３６２０と呼ぶ。）で平板部３６０と連結されている。また、各立壁部３６１，３６２の下端には、前後方向に沿って外向きに突出する固定部３６３がそれぞれ設けられている。
【００４５】
固定部３６３は、右端寄りの部位が他の部位よりも幅広に形成され、この幅広の部位には、それぞれ円形の挿通孔３６３０が２つずつ形成されている（図５参照）。なお、この幅広の部位は、例えば、立壁部３６１，３６２の一部が切り起こされて形成されるのが好ましい。
【００４６】
さらに、各立壁部３６１，３６２の右側の下端には、それぞれ取付部３６４が一体に設けられている。各取付部３６４は、立壁部３６１，３６２の右側端縁に連結されたＬ字型の連結片３６４０と、連結片３６４０の下端から前後方向に沿って内向きに突出する取付片３６４１とを有している。また、各取付片３６４１の中央には、それぞれねじ孔３６４２が設けられている。なお、後方の取付部３６４の連結片３６４０には、円形の貫通孔３６４３が形成されるのが好ましい。
【００４７】
また、前方の立壁部３６１には、カバー３２の突出部３２２２がねじ止めされるねじ止め部３６５が設けられている。このねじ止め部３６５は、立壁部３６１の左側の下端から左向きに突出する突片３６１２の上端から前向きに突出する矩形平板状に形成され、ねじ孔３６５０を有している。
【００４８】
ばね部材３７は、矩形の固定片３７０と、固定片３７０の前後方向における両端から上向きに立ち上がる一対の立設片３７１と、各立設片３７１の上端からそれぞれ上向きに突出する一対の引掛部３７２と、押さえ片３７３とを有する。なお、ばね部材３７は、ベース３６を構成する金属材料よりも弾性係数（ヤング率）の高い金属材料、例えば、ステンレス鋼板などで構成されるのが好ましい。
【００４９】
固定片３７０は、前後方向における両端に丸孔３７００がそれぞれ設けられている。なお、これら一対の丸孔３７００は、ベース３６の取付部３６４の一対のねじ孔３６４２の間隔に等しい間隔で設けられる。各立設片３７１には、左右方向における中央に、上下方向を長手方向とするスリット３７１０が形成されている。
【００５０】
各引掛部３７２は、矩形の板材が左右方向から見てＬ字形に折り曲げられた形状に形成されている。押さえ片３７３は、固定片３７０の左端における前後方向の中央部から上向きに立ち上がり、且つ左向きに倒れ込むように折り曲げられた形状に形成されている。
【００５１】
ばね部材３７は、図１０〜図１２に示すように、一対の取付部３６４に固定片３７０が下から当てられ、各丸孔３７００に挿通される２本のねじが各取付部３６４のねじ孔３６４２にねじ込まれることで取付部３６４に取り付けられる。なお、ばね部材３７の各立設片３７１は、何れも取付部３６４の連結片３６４０の外側に配置される（図１０参照）。また、後方の立設片３７１のスリット３７１０を通して、連結片３６４０の貫通孔３６４３にケーブルホルダ３８が取り付けられる（図１０参照）。
【００５２】
表示部３５は、市販のパイロットランプで構成される。スイッチブロック３４は、プリント配線板３４０と、点検スイッチ３４１と、操作部材３４２と、コネクタ３４３とを備える。
【００５３】
コネクタ３４３は、プラグコネクタが挿抜可能に接続されるレセプタクルコネクタである。点検スイッチ３４１は、市販されている常開型の押釦スイッチである。操作部材３４２は、合成樹脂材料によって半球状に形成され、上下方向に移動可能なように支持部材３３に支持される。
【００５４】
プリント配線板３４０は、矩形平板状に形成され、点検スイッチ３４１とコネクタ３４３が上面に実装され、且つコネクタ３４３の２つのコンタクトと点検スイッチ３４１の一対の端子とを各別に電気的に接続するように構成されている。
【００５５】
スイッチブロック３４は、コネクタ３４３に接続されるプラグコネクタを介して制御装置４から定電圧が供給され、操作部材３４２を介して点検スイッチ３４１が押操作されると、コネクタ３４３のコンタクト同士を導通させる。したがって、制御装置４は、プラグコネクタの２つのコンタクト間が短絡することにより、点検スイッチ３４１の操作入力を受け取ることができる。
【００５６】
支持部材３３は、第１支持部３３０と、第２支持部３３１とを有する。なお、第１支持部３３０と第２支持部３３１とは、合成樹脂成形体として一体に形成されるのが好ましい（図５、図１３及び図１４参照）。
【００５７】
第１支持部３３０は、全体として薄型の平板状に形成され、ＬＥＤモジュール３０を嵌め込んで支持する凹部３３２と、環状のリブ３３３と、２対（合計４つ）の引掛部３３４と、一対のボス３３５とを有する。
【００５８】
凹部３３２は、図１１及び図１４に示すように、第１支持部３３０の下面中央に設けられている。また、凹部３３２の底には、矩形の窓孔３３２０が設けられている。そして、この窓孔３３２０内に発光部３０１が配置されることにより、第１支持部３３０の上面側に発光部３０１が露出する（図１３参照）。環状のリブ３３３は、第１支持部３３０の上面に、窓孔３３２０を囲むように設けられている（図５参照）。
【００５９】
一方の対の引掛部３３４は、第１支持部３３０の上面におけるリブ３３３の左端部分から上向きに突出し、且つ左右方向に撓み可能に形成されている。他方の対の引掛部３３４は、第１支持部３３０の上面におけるリブ３３３の右端部分から上向きに突出し、且つ左右方向に撓み可能に形成されている。また、各引掛部３３４は、逆Ｕ字状に形成され、且つ上端部分に三角柱状の爪３３４０が一体に形成されている（図１１及び図１２参照）。
【００６０】
第２支持部３３１は、下面が開放された矩形の箱状に形成されている。第２支持部３３１は、スイッチブロック３４及び表示部３５を内部に収納して支持するように構成される。第２支持部３３１の天面には、第１周壁３３１０及び第２周壁３３１１が一体に設けられている。
【００６１】
第１周壁３３１０は、円筒形状に形成され、スイッチブロック３４の操作部材３４２が挿入される。操作部材３４２は、円柱形状の押釦部３４２０と、複数の爪部３４２１と、軸部３４２２とを有する合成樹脂成形体からなる（図１１参照）。
【００６２】
操作部材３４２は、第１周壁３３１０の内周面に設けられた段部３３１２に複数の爪部３４２１がそれぞれ引っ掛けられて抜け止めされる（図１１参照）。軸部３４２２は、押釦部３４２０の下面中央から下向きに突出する円柱状に形成されている（図１１参照）。つまり、操作部材３４２は、押釦部３４２０が押されて下向きに移動すると、軸部３４２２の先端（下端）で点検スイッチ３４１を押操作する。
【００６３】
また、第２周壁３３１１は、円筒状に形成され、表示部３５の先端部分が挿通される（図８参照）。
【００６４】
スイッチブロック３４は、図１４に示すように、第２支持部３３１の内壁面から突出する複数（図示例では３つ）の爪３３１３にプリント配線板３４０の周縁部分が引っ掛けられて第２支持部３３１に支持される。また、第２支持部３３１の天面における前方には、矩形の挿通孔３３１４が設けられており、この挿通孔３３１４を通して、コネクタ（レセプタクルコネクタ）３４３にプラグコネクタが差込接続される。
【００６５】
なお、上記プラグコネクタと電気的に接続される電線は、第２支持部３３１の前面に設けられる一対のケーブル保持片３３６に保持されるのが好ましい（図１３参照）。
【００６６】
次に、非常用光源ユニット３の組立手順について具体的に説明する。
【００６７】
まず、作業者は、ＬＥＤモジュール３０を第１支持部３３０の凹部３３２に下から嵌め込む（図１４参照）。作業者は、ＬＥＤモジュール３０の一方のリード線３０３を、第１支持部３３０に設けられた第１引掛部３３００に引っ掛けた後、このリード線３０３と他方のリード線３０３を、第１支持部３３０に設けられた第２引掛部３３０１に引っ掛ける。さらに、作業者は、これら一対のリード線３０３を、第１支持部３３０の上面側に引き出した後、第１支持部３３０に設けられた第３引掛部３３０２に引っ掛けて支持させる（図１３参照）。
【００６８】
さらに、作業者は、操作部材３４２を第１周壁３３１０内に挿入した後、スイッチブロック３４のプリント配線板３４０を３つの爪３３１３に引っ掛けてスイッチブロック３４を第２支持部３３１に取り付ける（図１１〜図１４参照）。また、作業者は、表示部３５の外周面に突出する爪３５０（図５参照）を、第２周壁３３１１に設けられた孔に引っ掛けることで表示部３５を第２支持部３３１に取り付ける。
【００６９】
続いて、作業者は、第１支持部３３０をベース３６の平板部３６０の上に載せる。このとき、作業者は、第１支持部３３０の左前方から下向きに突出した突部３３７を、平板部３６０の左端の切欠３６００に挿通することにより、平板部３６０に対して支持部材３３を位置決めすることができる（図６参照）。そして、作業者は、各ボス３３５を貫通する孔３３５０にねじ３４５を挿通し、平板部３６０に設けられた一対のねじ孔３６０２にそれぞれねじ３４５を締め込む。このようにして、作業者は、ベース３６に支持部材３３を固定する（図６参照）。
【００７０】
次に、作業者は、２対の引掛部３３４の爪３３４０をレンズ３１のフランジ３１２に引っ掛け、各引掛部３３４の爪３３４０と第１支持部３３０の上面との間でフランジ３１２を挟み込むことでレンズ３１を第１支持部３３０に支持させる（図１１及び図１２参照）。その後、作業者は、各固定部３６３の２つの挿通孔３６３０にそれぞれねじを挿通し、収容凹部１１の底板１１１に設けられているねじ孔に各ねじをねじ込むことでベース３６を底板１１１に固定する。
【００７１】
このとき、作業者は、ねじ止め部３６５を内側（常用光源ユニット２に近い側）、すなわち、ばね部材３７を外側（常用光源ユニット２から遠い側）とするようにベース３６を収容凹部１１内に収納する。また、ベース３６が底板１１１に固定されることにより、ベース３６と底板１１１に囲まれた空間（以下、電源収容部３６６と呼ぶ。）が形成される。
【００７２】
続いて、作業者は、収容凹部１１内において、ねじ止め部３６５の側から電源収容部３６６内に非常用電源５を挿入する（図６参照）。このとき、非常用電源５は、突出部３６０３の支持片３６０４に案内されてスムーズに挿入される。次に、作業者は、図６に示すように、上方からカバー３２をベース３６に被せる。このとき、カバー３２の一対の突壁部３２４が、ベース３６の立壁部３６１のガイド部３６１０及び立壁部３６２のガイド部３６２０にガイドされる。
【００７３】
そして、ばね部材３７の各引掛部３７２は、それぞれ突壁部３２４に押されて内側に撓み、やがて、各突壁部３２４の取付孔３２４０にそれぞれ挿入されて引っ掛かる（図７及び図１０参照）。このとき、第１支持部３３０に支持されたレンズ３１は、カバー３２の挿通孔３２３０を通して外部に露出する。
【００７４】
また、操作部材３４２は、カバー３２の曲面部３２３において、挿通孔３２３０の右隣に設けられた円形の第１貫通孔３２３２を通して外部に露出する。さらに、表示部３５は、カバー３２の曲面部３２３において、第１貫通孔３２３２の後方に設けられた円形の第２貫通孔３２３３を通して外部に露出する（図７及び図８参照）。
【００７５】
最後に、作業者は、突出部３２２２の挿通孔３２２３に挿通したねじを、ベース３６のねじ止め部３６５のねじ孔３６５０にねじ込むことにより、突出部３２２２をねじ止め部３６５にねじ止めする（図７及び図８参照）。このようにして、非常用光源ユニット３が組み立てられる。ここに、本実施形態では、ＬＥＤモジュール３０、レンズ３１及び支持部材３３により光源部が構成される。また、本実施形態では、カバー３２の各突壁部３２４の取付孔３２４０により保持構造が構成される。
【００７６】
なお、非常用電源５は、図１１に示すように、ばね部材３７の押さえ片３７３とカバー３２の押さえ片３２２４とにより左右方向から押さえられ、さらに３つの突出部３６０３により上方から押さえられる。これにより、上下方向及び左右方向において非常用電源５のがたつきを抑えることができる。ただし、上述した組立手順は一例に過ぎず、別の組立手順で組み立てることも可能である。
【００７７】
制御装置４は、常用電源（外部電源）から供給される電力で非常用電源５を充電する充電回路と、常用電源の停電時に非常用電源５を電源としてＬＥＤモジュール３０を点灯させる非常用電源回路とを備える。また、制御装置４は、点検スイッチ３４１による操作入力を受け取って点検動作を行う制御回路を備える。なお、常用電源は、常用光源ユニット２の電源装置２４に給電する電源（例えば、商用の交流電源）であるのが好ましい。
【００７８】
制御回路は、点検スイッチ３４１による操作入力を受け取ると、充電回路を停止して、非常用電源回路を動作させることで点検動作を行う。さらに、制御回路は、常用電源の通電状態や点検動作による点検結果などを表示部３５に表示させる。なお、このような制御回路は、論理回路やマイクロコントローラなどで構成されるのが好ましい。
【００７９】
また、制御装置４は、充電回路、非常用電源回路及び制御回路を構成するための複数の回路素子が実装されるプリント配線板４０と、プリント配線板４０を内部に収納する金属製のケース４１とを備える（図１５参照）。ケース４１は、金属製の板材により扁平な矩形箱状に形成されている。また、ケース４１は、一端側が開放され、プリント配線板４０の一端部に実装された２つのコネクタ４００，４０１を露出させるように構成されている。
【００８０】
一方のコネクタ４００は、非常用電源５及びＬＥＤモジュール３０と電気的に接続され、他方のコネクタ４０１は、表示部３５と電気的に接続される。また、プリント配線板４０の他端部には、スイッチブロック３４のコネクタ３４３と電気的に接続されるコネクタが実装されている。制御装置４は、ケース４１の両端から突出する一対の固定片４１０が収容凹部１１の底板１１１にねじ止めされることで器具本体１に取り付けられる（図１５参照）。
【００８１】
ここで、非常用光源ユニット３と制御装置４とは、４対（合計８本）の電線で電気的に接続される。すなわち、４対のうちの一対の電線６０は、非常用電源５と充電回路及び非常用電源回路とを電気的に接続し、また別の一対の電線６１は、非常用電源回路とＬＥＤモジュール３０とを電気的に接続する。
【００８２】
さらに、別の一対の電線６２は、制御回路と表示部３５とを電気的に接続し、残り一対の電線６３は、制御回路とスイッチブロック３４とを電気的に接続する。なお、一対の電線６０は、非常用電源５の交換を容易にするため、コネクタ６４によって分断可能に構成されるのが好ましい（図１５参照）。
【００８３】
これら４対の電線６０〜６３は、図１５に示すように、シース６５で被覆された１本のケーブルとして構成されるのが好ましい。なお、４対の電線６０〜６３は、図１５に示すように、ベース３６の立壁部３６２と収容凹部１１の側板との間に形成される隙間に配置されるのが好ましい。
【００８４】
次に、本実施形態の照明器具１０の施工手順について具体的に説明する。
【００８５】
まず最初に、施工作業を行う作業者は、天井裏に先行配線された電源線を器具本体１の孔１１１Ａに通し、さらに室内側に露出する吊りボルト２００を孔１１１Ｂに通した後、吊りボルト２００にナット２０１をねじ込んで器具本体１を固定する。さらに、作業者は、電源線の端部を端子台に接続し、さらに端子台から引き出されている電線を電源装置２４及び制御装置４と電気的に接続する。
【００８６】
続いて、作業者は、器具本体１の一方の側板１１２に設けられた一対の挿通孔にそれぞれ引掛金具の先端を引っ掛けた後、一対の引掛ばねを器具本体１の他方の側板１１２に設けられた引掛部に引っ掛ける。そして、作業者が、引掛金具を支点として常用光源ユニット２を持ち上げるように回転させると、引掛ばねが引掛部に引っ掛かったままで元の状態に戻ることにより、引掛ばねのばね力で常用光源ユニット２が器具本体１に保持される。以上のような手順に従って、照明器具１０が天井に施工される（図１及び図４参照）。
【００８７】
ここで、非常用光源ユニット３を器具本体１に取り付けた状態では、図１６に示すように、上下方向（天井材１００の下面の法線方向）において、収容凹部１１の開口端縁と一対の水平部３２５の各々とが重なるように構成されている。これにより、カバー体３２０の曲面部３２３と器具本体１の収容凹部１１の開口端縁との間の隙間を塞ぐことができ、その結果、器具本体１の内部への異物の侵入や器具本体１の外部への光漏れを低減することができる。
【００８８】
而して、本実施形態の照明器具１０によれば、カバー３２の各突壁部３２４をベース３６の対応する立壁部３６１，３６２に接触させることで各突壁部３２４がガイドされる。そして、この状態のままカバー３２をベース３６側に移動させることでカバー３２をベース３６に取り付けることができる。そのため、従来の非常用照明器具のように、器具本体に対してカバーの向きを合わせながら組み付けなくてもよく、作業性を向上させることができる。
【００８９】
また、本実施形態の照明器具１０のように、各突壁部３２４に設けた取付孔３２４０（保持構造）により、カバー３２をベース３６に組み付けるだけでカバー３２をベース３６に保持させることができる。さらに、本実施形態の照明器具１０のように、水平部３２５の先端から下向きに突壁部３２４を突出させることで、カバー３２のねじり強度を高めることができる。
【００９０】
なお、本実施形態では、天井材１００に直付けされる照明器具１０を例示したが、天井材１００以外の造営材、例えば、壁材などに取り付けられる照明器具であってもよい。また、本実施形態では、カバー３２の各突壁部３２４に設けられた取付孔３２４０を保持構造としたが、カバー３２をベース３６に取り付けた状態でカバー３２を保持できる構造であれば他の構造でもよい。
【００９１】
以上説明したように、本実施形態の照明器具１０は、器具本体１と、常用光源ユニット２（第１光源ユニット）と、非常用光源ユニット３（第２光源ユニット）とを備える。器具本体１は、天井材１００（造営材）の表面に取り付けられる。常用光源ユニット２は、器具本体１に取り付けられ、外部電源が正常に供給されている状態において点灯可能である。非常用光源ユニット３は、器具本体１に取り付けられ、外部電源の停電時に点灯する。また、非常用光源ユニット３は、光源部（ＬＥＤモジュール３０、レンズ３１及び支持部材３３）と、ベース３６と、カバー３２とを具備する。ベース３６は、上記光源部が取り付けられる。カバー３２は、挿通孔３２３０（開口部）を有し、挿通孔３２３０から上記光源部の一部を露出させた状態でベース３６に取り付けられる。また、カバー３２は、ベース３６側に突出する一対の突壁部３２４を有する。そして、ベース３６は、カバー３２をベース３６に取り付ける際に一対の突壁部３２４をそれぞれガイドする一対の立壁部３６１，３６２を有する。
【００９２】
上記構成によれば、カバー３２の各突壁部３２４をベース３６の対応する立壁部３６１，３６２に接触させることで各突壁部３２４がガイドされ、この状態のままカバー３２をベース３６側に移動させることでカバー３２をベース３６に取り付けることができる。そのため、従来の非常用照明器具のように、器具本体に対してカバーの向きを合わせながら組み付けなくてもよく、作業性を向上させることができる。
【００９３】
また、本実施形態の照明器具１０のように、一対の突壁部３２４の各々は、カバー３２をベース３６に保持させる保持構造（取付孔３２４０）を有するのが好ましい。
【００９４】
上記構成によれば、各突壁部３２４に設けた上記保持構造により、カバー３２をベース３６に組み付けるだけでカバー３２をベース３６に保持させることができる。
【００９５】
また、本実施形態の照明器具１０のように、器具本体１は、常用光源ユニット２及び非常用光源ユニット３の少なくとも一部が収容される収容凹部１１を天井材１００と反対側に有するのが好ましい。この場合、カバー３２は、挿通孔３２３０が設けられ上記光源部を覆うように配置される曲面部３２３と、曲面部３２３の両端から互いに近づく向きに延出する一対の水平部３２５とをさらに有するのが好ましい。また、一対の突壁部３２４の各々は、一対の水平部３２５の各々の先端から一対の水平部３２５と交差する方向で且つベース３６側に突出するのが好ましい。そして、非常用光源ユニット３を器具本体１に取り付けた状態では、天井材１００の表面の法線方向から見て収容凹部１１の開口端縁と一対の水平部３２５の各々とが重なるように構成されるのが好ましい。
【００９６】
上記構成によれば、各水平部３２５の先端からベース３６側に突壁部３２４を突出させることで、カバー３２のねじり強度を高めることができる。また、非常用光源ユニット３を器具本体１に取り付けた際に生じる隙間を水平部３２５及び突壁部３２４により隠すことができ、これにより器具本体１の内部への異物の侵入や器具本体１の外部への光漏れを低減することができる。
【符号の説明】
【００９７】
１  器具本体
２  常用光源ユニット（第１光源ユニット）
３  非常用光源ユニット（第２光源ユニット）
１０  照明器具
１１  収容凹部
３０  ＬＥＤモジュール（光源部）
３１  レンズ（光源部）
３２  カバー
３３  支持部材（光源部）
３６  ベース
１００  天井材（造営材）
３２３  曲面部
３２４  突壁部
３２５  水平部
３６１，３６２  立壁部
３２３０  挿通孔（開口部）
３２４０  取付孔（保持構造）
【図１】
0006575894.tif 000002
【図２】
0006575894.tif 000003
【図３】
0006575894.tif 000004
【図４】
0006575894.tif 000005
【図５】
0006575894.tif 000006
【図６】
0006575894.tif 000007
【図７】
0006575894.tif 000008
【図８】
0006575894.tif 000009
【図９】
0006575894.tif 000010
【図１０】
0006575894.tif 000011
【図１１】
0006575894.tif 000012
【図１２】
0006575894.tif 000013
【図１３】
0006575894.tif 000014
【図１４】
0006575894.tif 000015
【図１５】
0006575894.tif 000016
【図１６】
0006575894.tif 000017